(57)【特許請求の範囲】
【請求項１】
囲い壁に囲まれ上部が開口した電池収納部と、この電池収納部の囲い壁の上端と略同一平面上に位置付けられたプリント配線板と、自由端部がプリント配線板の端縁から電池収納部に臨むようにプリント配線板に基端部が半田付けされた導電性を有する線材によって形成された電池接続端子とからなる電池接続端子の取付構造において、前記電池接続端子の一端側に端子部を形成し、他端側にはＵ字状の基端部を形成するとともに、この基端部の自由端側を直角に折り曲げた載置部を形成し、プリント配線板に前記Ｕ字状の基端部を支承する長孔を電池接続端子が延在する方向に設け、アッパーケースとロアーケースとからなる電子機器のロアーケースに前記電池収納部が形成され、この電池収納部の囲い壁の上端に電池接続端子を収納する溝を設け、前記アッパーケースと前記ロアーケースの合体により、前記アッパーケースの段部が前記電池収納部の囲い壁上端に当接することを特徴とする電池接続端子の取付構造。
【発明の詳細な説明】
【０００１】
【発明の属する技術分野】
本発明は、装置の筺体に固定されたプリント配線板に基端部が取付けられ、自由端部が電池収納部に臨む導電性を有する線材からなる電池接続端子の取付構造に関する。
【０００２】
【従来の技術】
この種の電池接続端子は、本体装置の小型化、薄型化の要求によって導電性を有する線材によって形成され、基端部が下方に直角に折り曲げられ、自由端部側に電池の電極と接触する端子部が形成されている。電池収納部に近接するようにプリント配線板が位置付けられ、プリント配線板に穿設された取付孔に、上述した電池接続端子の折り曲げられた基端部が、係入され半田付けによって固定され、自由端部は電池収納部に臨むようにプリント配線板の端縁から突出している。
【０００３】
【発明が解決しようとする課題】
しかしながら、上述した従来の電池接続端子の取付構造では、プリント配線板の取付孔に針金状の電池接続端子の基端部を係入させる作業が煩雑で時間を要していた。また、電池接続端子の基端部は取付孔内を回動自在となっているので、半田で固定する前に位置を決め、この状態を保持する作業が必要となり、作業が煩雑であるとともに、位置決めにばらつきが生じやすく、電池収納部に収納された電池の電極との間で接触不良が発生するといった問題があった。さらに、プリント配線板の端縁から突出した状態となっている電池接続端子の自由端部が、プリント配線板の搬入、移動中に何かに当接すると、電池接続端子の基端部が取付孔内で回動しやすく、このためプリント配線板の電極との間で接触不良を起こすといった問題もあった。
【０００４】
したがって、本発明は上記した従来の問題に鑑みなされたものであり、その目的とするところは、電池接続端子の組付けが容易で、かつ堅固に取り付けられる電池接続端子の取付構造を提供することにある。
【０００５】
【課題を解決するための手段】
この目的を達成するために、本発明に係る電池接続端子の取付構造は、囲い壁に囲まれ上部が開口した電池収納部と、この電池収納部の囲い壁の上端と略同一平面上に位置付けられたプリント配線板と、自由端部がプリント配線板の端縁から電池収納部に臨むようにプリント配線板に基端部が半田付けされた導電性を有する線材によって形成された電池接続端子とからなる電池接続端子の取付構造において、前記電池接続端子の一端側に端子部を形成し、他端側にはＵ字状の基端部を形成するとともに、この基端部の自由端側を直角に折り曲げた載置部を形成し、プリント配線板に前記Ｕ字状の基端部を支承する長孔を電池接続端子が延在する方向に設け、アッパーケースとロアーケースとからなる電子機器のロアーケースに前記電池収納部が形成され、この電池収納部の囲い壁の上端に電池接続端子を収納する溝を設け、前記アッパーケースと前記ロアーケースの合体により、前記アッパーケースの段部が前記電池収納部の囲い壁上端に当接するものである。
したがって、プリント配線板の長孔に電池接続端子のＵ字状の基端部を係入させる際に、基端部の先端の湾曲された部分が係入するためのガイドとなるので係入作業が容易となる。また、組み付けられた電池接続端子は、長孔にＵ字状の基端部を係入させるので、基端部の周りに回転モーメントが作用しても回動が阻止される。
【０００６】
【発明の実施の形態】
以下、本発明の実施の形態を図に基づいて説明する。図１は本発明に係る電池接続端子を採用した電子機器のアッパーカバーを取り除いた状態の平面図、図２は図１におけるＩＩ−ＩＩ  線断面図、図３は同じく要部を示す平面図、図４は図１におけるＩＶ−ＩＶ  線断面図、図５は同じく正極側の端子を示し、（ａ）は平面図、（ｂ）は側面図、図６は同じく負極側の端子を示し、（ａ）は平面図、（ｂ）は側面図である。
【０００７】
これらの図において、全体を符号１で示す電子機器には、共に合成樹脂によって形成されたアッパーケース２とロアーケース３とが備えられ、これらアッパーケース２とロアーケース３とは、互いの開口端縁を突き合わせるようにしてねじによって合体されている。４はロアーケース３の開口部のほぼ全面を覆うようにしてロアーケース３に取付られたプリント配線板であって、ロアーケース３に固定される後述する電池収納ケース５に対応する部分４ａが矩形状に切り欠かれている。また、図４に示すように、このプリント配線板４は、その表面が電池収納ケース５の囲い壁の前面板７の上端面より、後述する正、負極側の端子２５，３２の径ｄだけ低くなるように位置付けられている。
【０００８】
５は合成樹脂によって形成された電池収納ケースであって、底板６と底板６の端縁から立設された囲い壁とによって上部が開口した断面コ字状に形成され、囲い壁の前面板７と後面板８とには、それぞれ正、負極側の端子２５，３２と橋絡端子１８とが取付けられている。この電池収納ケース５は、底板６と前面板７に突設したフランジ部９とが、ロアーケース３に立設したボス１０にねじ止めされることにより、ロアーケース３の一方の側面側に固定されている。
【０００９】
図３に示すように、電池収納ケース５の前面板７には、上方が開口した平面視Ｔ字状の端子収納凹部１２，１３が左右対称の位置に一対設けられている。一方の端子収納凹部１２の一端側は、前面板７の上端面より負極側の端子３２の径ｄと同じ深さの載置溝１４が前面板７の側端まで延設されている。他方の端子収納凹部１３の一端は、前面板７の上端面より正極側の端子２５の径ｄと同じ深さの案内溝１５が、前面板７の前端まで延設されている。また、この端子収納凹部１３の他端は、前面板７の上端面より正極側の端子２５の径ｄと同じ深さの載置溝１６が、前面板７の側端側に延設されている。
【００１０】
橋絡端子１８は、ねじりコイルばね状に形成された負極端子部１９とＵ字状に折り曲げ形成された正極端子部２０とが、針金状の導電部材によって一体に形成され、これら負極端子部１９と正極端子部２０とが前面板７側に対向するように、電池収納ケース５の後面板８の溝内に収納されることによって取付けられている。
前記プリント配線板４には、電池収納ケース５の前面板７の一方の側縁に近接して前面板７の長手方向に延在する一対の長孔２２，２３が穿設されている。
【００１１】
図５に示すように、正極側の端子２５は、導電性を有する線材によって平面視クランク状に折り曲げ形成された折曲部２６が設けられており、一端側にＵ字状の端子部２７が下方に湾曲形成され、端子部２７の自由端側は直角に折り曲げられることにより載置部２８が形成されている。また、他端側にＵ字状の基端部２９が下方に湾曲形成され、基端部２９の自由端側は直角に折り曲げられ載置部３０が形成されている。
【００１２】
図６に示すように、負極側の端子３２は、導電性を有する線材によって平面視略クランク状に形成され、一端側にコイル状の端子部３３が後方に突出形成され、他端側にＵ字状の基端部３４が下方に湾曲形成されており、基端部３４の自由端側は直角に折り曲げられ載置部３５が形成されている。
【００１３】
図２および図４に示すように、アッパーケース２の前記電池収納ケース５に対応した位置には、平面視矩形状の開口部３７が設けられている。この開口部３７の前方側には、アッパーケース２の表面よりも低く形成された段部３８が凹設され、この段部３８には上方が開口し、この開口部の一方の端縁に係合部３９ａが突設された凹部３９が形成されている。また、開口部３７の後端側には、載置片４０が突設されている。
【００１４】
４２はアッパーケース２の開口部３７を覆う合成樹脂によって略矩形状に形成された電池蓋であって、前端部にＵ字状のつまみ部４３が下方に湾曲形成され、このつまみ部４３には前記アッパーケース２の凹部３９の係合部３９ａに係合する突起４３ａが形成されている。この電池蓋４２によってアッパーケース２の開口部３７を閉塞するには、電池蓋４２の後端部をアッパーケース２の載置片４０に載置すると共に、電池蓋４２の後端部に形成した係合片（図示せず）を開口部３７の後端縁の下面に係合させる。そして、つまみ部４３を凹部３９内に嵌入させ、つまみ部４３を弾性変形させながら突起４３ａを係合部３９ａに係合させることによって、開口部３７が閉塞される。
【００１５】
次に、このような構成において、正、負極側の端子２５，３２の取付方法を説明する。まず、プリント配線板４の端縁から端子部２７，３３側が突出するように、プリント配線板４の長孔２２，２３内に正、負極側の端子２５，３２の基端部２９，３４を係入させ、半田付けによって正、負極側の端子２５，３２をプリント配線板４に取付ける。このとき、基端部２９，３４がＵ字状に形成され、長孔２２，２３内に係入させるようにしたことにより、単に円形の孔内に端子の折曲げ端部を係入させる従来の組付け方法に比べ係入が容易となる。
【００１６】
また、組み付けられた端子２５，３２は、長孔２２，２３の延在方向に指向するので、従来のように組付け後に指向させるための調整が不要となるだけでなく、指向方向の精度が高い。さらに、端子２５、３２の取付構造が、長孔２２，２３とＵ字状の基端部２９，３４とによるものであるから、従来と比較して取付けが堅固となり、特に端子２５，３２を基端部２９、３４の周りで廻そうとするモーメント力に対して堅固となる。したがって、端子２５，３２を組付けた後、プリント配線板４を搬入したり移送したりするときに、プリント配線板４の端縁から突出した端子部２７，３３に他の部材が当接した際に、端子２５，３２の位置ずれが防止される。
【００１７】
また、基端部２９，３４の自由端部側に載置部３０，３５を設けたことにより、基端部２９、３４を長孔２２、２３を係入させると、これら載置部３０，３５がプリント配線板４上に載置されるので、プリント配線板４上での安定性が良好となる。このため、端子２５，３２がプリント配線板４上で傾いて取付けられるようなことが防止され、プリント配線板４の電極との接触不良が低減されると共に、取付けの精度が向上する。
【００１８】
このように端子２５，３２を取付けたプリント配線板４を、ロアーケース３のボスに取付けてロアーケース３上に装着すると、正極側の端子２５は、図３において前面板７の外側面に添接し、折曲部２６が案内溝１５に係入するとともに載置部２８が載置溝１６に係入し、端子部２７が端子収納凹部１３内に収納される。また、負極側の端子３２は、載置溝１４に係入し、端子部３３が端子収納部１２から電池収納ケース５内に突出する。次に、アッパーケース２をロアーケース３の開口部に被せてねじによって合体すると、図４に示すように、アッパーケース２の段部３８が電池収納ケース５の前面板７の上端に当接する。
【００１９】
したがって、前面板７の案内溝１５、載置溝１６に係入された正極側の端子２５の折曲部２６、載置部２８および載置溝１４に係入された負極側の端子３２は、段部３８によって上方への抜けが規制される。このように正、負極側の端子２５，３２は、電池収納ケース５の前面板７の案内溝１５、載置溝１４，１６内に収納され、アッパーケース２の段部３８によって上方への抜けが規制されるので、位置ずれすることがなく、電池の電極との接触が確実に行われ、接触不良が防止される。また、これら案内溝１５、載置溝１４，１６および段部３８によって保護されるので、変形や破損が防止される。
【００２０】
【発明の効果】
以上説明したように本発明によれば、プリント配線板に基端部が半田付けされた導電性を有する線材によって形成された電池接続端子の自由端部をプリント配線板の端縁から電池収納部に臨むようにし、この電池接続端子の基端部をＵ字状に形成するとともに、プリント配線板にこのＵ字状の基端部を支承する長孔を設けたことにより、Ｕ字状の基端部を長孔内に係入させるようにしたことにより、単に円形の孔内に端子の折曲げ端部を係入させる従来の組付け方法に比べ係入が容易となる。
また、組み付けられた電池接続端子は、長孔の延在方向に指向するので、従来のように組付け後に指向させる調整が不要となるだけでなく、指向方向の精度が高い。さらに、電池接続端子の取付構造が、長孔とＵ字状の基端部とによるものであるから、従来と比較して取付けが堅固となり、特に電池接続端子を基端部の周りで廻そうとするモーメント力に対して堅固となる。したがって、電池接続端子を組付けた後、プリント配線板を搬入したり移送したりするときに、プリント配線板の端縁から突出した電池接続端子の自由端部端子部に他の部材が当接した際に、電池接続端子の位置ずれが防止される。
また、基端部の自由端部側に載置部を設けたことにより、基端部を長孔に係入させると、これら載置部がプリント配線板上に載置されるので、プリント配線板上での安定性が良好となる。このため、電池接続端子がプリント配線板上で傾いて取付けられるようなことが防止され、プリント配線板の電極との接触不良が低減されると共に、取付けの精度が向上する。また、電池収納部の囲い壁の上端に電池接続端子を収納する溝を設けたことにより、この溝によって電池接続端子の位置ずれが防止され、このため電池の電極との接触が確実に行われ、接触不良が防止される。また、これら溝によって電池接続端子が保護されるので、変形や破損が防止される。また、アッパーケースの段部によって電池接続端子の上方への抜けが規制されるので、位置ずれすることがなく、電池の電極との接触が確実に行われ、接触不良が防止される。
【図面の簡単な説明】
【図１】本発明に係る電池接続端子の取付構造を採用した電子機器のアッパーカバーを取り除いた状態の平面図である。
【図２】図１におけるII-II 線断面図である。
【図３】本発明に係る電池接続端子の取付構造の要部を示す平面図である。
【図４】図１におけるIV-IV 線断面図である。
【図５】本発明に係る電池接続端子の取付構造における正極側の端子を示し、（ａ）は平面図、（ｂ）は側面図である。
【図６】本発明に係る電池接続端子の取付構造における負極側の端子を示し、（ａ）は平面図、（ｂ）は側面図である。
【符号の説明】
１…電子機器、２…アッパーケース、３…ロアーケース、４…プリント配線板、５…電池収納ケース、７…前面板、１２，１３…端子収納凹部、１４，１６…載置溝、１５…案内溝、１８…橋絡端子、２２，２３…長孔、２５…正極側の端子、２７，３３…端子部、２９，３４…Ｕ字状の基端部、３２…負極側の端子、３８…段部、４２…電池蓋。
【図１】
0003584667.tif 000002
【図２】
0003584667.tif 000003
【図３】
0003584667.tif 000004
【図４】
0003584667.tif 000005
【図５】
0003584667.tif 000006
【図６】
0003584667.tif 000007